(57)【要約】【課題】発酵処理槽から脱臭装置までの円滑な臭気の流れを確保すると共に送風ファンの耐久性の向上を図る。【解決手段】発酵処理槽９と連通し一定のレベルまで水が入れられた密閉された第１処理槽２７と、脱臭剤が充填された第２処理槽２９とをつなぐ連絡通路３１に、前記第１処理槽２７から第２処理槽２９へ向けて送風する送風ファン３３を設ける一方、前記第１処理槽２７の水面Ｗ−１下に臨む第１連通口３７と水面Ｗ−１より上方に設けられた第２連通口３９とによって発酵処理槽９で発生した臭気が必ず第１処理槽２７の水面Ｗ−１下を通過した後、送風ファン３３に流れるようにする。【選択図】図１
2009066483.tif 000002
【特許請求の範囲】
【請求項１】
発酵処理槽と連通し一定のレベルまで水が入れられた密閉された第１処理槽と、内部に脱臭剤が設けられた第２処理槽と、前記第１処理槽と第２処理槽をつなぐ連絡通路に配置され前記第１処理槽から第２処理槽へ向けて送風する送風ファンとを有し、前記第１処理槽は、その第１処理槽内の水面より下方に設けられると共に前記発酵処理槽と連通し合う臭気取入口と前記第１処理槽内の水面より上方に設けられると共に前記連絡通路と連通し合う排気口とを備えていることを特徴とする生ゴミ発酵処理装置の脱臭装置。
【請求項２】
前記第１処理槽の臭気取入口は、水面の上に露出することなく水位センサによって常に水面下に臨むよう制御管理されていることを特徴とする請求項１記載の生ゴミ発酵処理装置の脱臭装置。
【請求項３】
前記第１処理槽は、送風ファン運転時の水面の波立ちを抑える波立ち制止板が設けられていることを特徴とする請求項１記載の生ゴミ発酵処理装置の脱臭装置。
【発明の詳細な説明】
【技術分野】
【０００１】
本発明は、微生物を用いて生ゴミを微生物分解処理して減量化及び堆肥化する時に発生する臭気を処理する生ゴミ発酵処理装置の脱臭装置に関する。
【背景技術】
【０００２】
一般に生ゴミ発酵処理装置は、発酵処理槽内へ投入された生ゴミを微生物を用いて分解処理する時に特有の臭気を発生する。
【０００３】
発生する臭気としてはアンモニア（ＮＨ3 ）を始めとして腐食の要因ともなる硫化水素（Ｈ2 Ｓ）等があり、これらは脱臭装置へ送り込まれることで脱臭処理された後、大気中へ放出される。
【０００４】
発生した臭気の脱臭処理手段としては、例えば、発酵処理槽内へ空気を送り込み、その空気圧によって臭気を外へ圧送し、脱臭装置を構成する水を入れた曝気タンク内を通過させた後、続いて脱臭層を通過させて吸着・脱臭し大気中へ放出するものが知られている（特許文献１参照）。
【特許文献１】特開平５−２２１７６７号公報
【発明の開示】
【発明が解決しようとする課題】
【０００５】
発酵処理槽で発生した臭気は、前記処理槽内に送り込まれる空気圧によって送り出すようになるが、その構造は発酵処理槽の底部に多数の孔をあけ、その多数の孔を介して曝気タンクへ送り込む手段となっている。
【０００６】
このために、処理槽内の臭気は発酵処理中の発酵物内を通過するため、その発酵物が一段目の抵抗として、また、曝気タンク内の水面下を通過する時に水が二段目の抵抗としてそれぞれ作用する。
【０００７】
特に、発酵処理中の発酵物は処理が進むと粘性が高く空気の通りにくいペースト状の性状を呈するようになる等通り抜けを阻止する強い抵抗として働くため、発酵処理槽内を高い空気圧の雰囲気にする必要がある。そのために全体の高い密閉性が要求される等高い加工精度が求められ加工性の面において望ましくない。
【０００８】
また、多数の孔のあいた床板は、発酵物の落下につながり、落下した発酵物は排出口を塞ぐ可能性があり、メンテナンス管理を常時行う必要がある等管理工数が面倒となる。
【０００９】
そこで、本発明にあっては、発酵処理槽を確実に密閉管理しなくても脱臭装置までの円滑な臭気の流れを確保すると共に送風ファンの傷みの起きない耐久性を備えるようにすることを目的とする。
【課題を解決するための手段】
【００１０】
前記目的を達成するために、本発明にあっては、発酵処理槽と連通し一定のレベルまで水が入れられた密閉された第１処理槽と、内部に脱臭剤が設けられた第２処理槽と、前記第１処理槽と第２処理槽をつなぐ連絡通路に配置され前記第１処理槽から第２処理槽へ向けて送風する送風ファンとを有し、前記第１処理槽は、その第１処理槽内の水面より下方に設けられると共に前記発酵処理槽と連通し合う臭気取入口と前記第１処理槽内の水面より上方に設けられると共に前記連絡通路と連通し合う排気口とを備えていることを特徴とする。
【発明の効果】
【００１１】
本発明によれば、第１処理槽と第２処理槽をつなぐ連絡通路に送風ファンを配置したため、発酵処理槽内で発生するアンモニアを始めとして腐食の要因となる硫化水素等の臭気は直接送風ファンを通過することはなく、必ず第１処理槽を通過させることができる。この結果、第１処理槽の水面下を臭気が通過する時に臭気中に含まれる送風ファン傷みの原因となる例えば、硫化水素等を積極的に水に吸収させることができる。
【００１２】
したがって、送風ファンの傷みの原因が取除かれるため耐久性の大幅な向上が図れる。
【００１３】
また、送風ファンの作動は、発酵処理槽に対して吸引作用として働くため、発酵物内を通過させることなく発酵処理槽の上方から何等抵抗なく臭気を取出すことが可能となり、円滑な臭気の流れによって効率のよい脱臭を行なうことができる。
【発明を実施するための最良の形態】
【００１４】
本発明を実施するにあたって第１に前記第１処理槽の臭気取入口にあっては、水面の上に露出することなく水位センサによって常に水面下に臨むよう制御管理されるようにすることで、長期間にわたり安定して傷みの原因となる硫化水素を確実に水に吸収させることができるようにすることが望ましい。
【００１５】
第２に前記第１処理槽にあっては、送風ファン運転時の水面の波立ちを抑える波立ち制止板を設けることで、第１処理槽内の水面の波立ちを抑え、安定した臭気の流れが確保できるようにすることが望ましい。
【実施例】
【００１６】
以下、図１乃至図６の図面を参照しながら本発明の実施形態について具体的に説明する。
【００１７】
図６は生ゴミ発酵処理装置と脱臭装置の概要平面図を示している。
【００１８】
生ゴミ発酵処理装置１は脱臭装置３とダクト５を介して連通している。生ゴミ発酵処理装置１は、図５に示す如く微生物と共に生ゴミを投入する投入口６に開閉蓋７を備えた円筒状の発酵処理槽９内に、前記発酵処理槽９の中央部に配置されモータ等の駆動部１１によって回転動力が与えられる竪型回転シャフト１３と、前記発酵処理槽９内の中間位置に水平配置され一端が前記処理槽周壁１５に、他端が前記竪型回転シャフト１３にそれぞれ両端が支持された固定羽根１７が設けられている。その外に前記竪型回転シャフト１３と一緒に回転し、前記固定羽根１７の上位側と下位側をそれぞれ通過する水平配置された上位側攪拌羽根１９と下位側攪拌羽根２１と、発酵物取出用の開閉可能なシャッター２３とを備えている。
【００１９】
前記固定羽根１７、上位側攪拌羽根１９、下位側攪拌羽根２１には、前記処理槽９内へ向かって空気を噴射する空気噴射管２５をそれぞれ有し、上位側及び下位側攪拌羽根１９、２１の回転により投入口６から投入された生ゴミの攪拌・混合が行なわれるようになっている。
【００２０】
一方、脱臭装置３は、第１処理槽２７と第２処理槽２９の組合せからなり、第１、第２処理槽２７、２９をつなぐ連絡通路３１には送風ファン３３が設けられ、送風ファン３３は第１処理槽２７から第２処理槽２９へ向けて空気を送風するよう作用する。
【００２１】
第１処理槽２７は、図１に示す如く周壁は槽内冷却用の冷却水２８が供給される二重壁２７ａ，２７ｂとなっていて全体が気密室に作られている。内部には１／３まで水が入れられている。残りの２／３は上方空間となっていてこの上方空間は水面Ｗ−１が波立った時にその水しぶき等が上方の排気口３９まで届かず吸込まれにくい高さが確保されている。
【００２２】
第１処理槽２７には、内部へ水を給水するため給水弁３５の外に、臭気取入口３７、排気口３９、排水口４１とを有し、排水口４１には排水管が接続され、排水管に設けられた排水弁４３の開により外への水の排水が可能となっている。
【００２３】
給水弁３５は、水位センサ４５によって開閉制御され、開により給水が行なわれる。
【００２４】
水位センサ４５は、水面Ｗ−１の位置が常に１／３のところに臨むよう監視するもので、水面Ｗ−１が１／３以下になると前記給水弁３５を開として給水が行なわれるようになっている。なお、水面Ｗ−１の位置は、水位計４７により外からでも目視可能となっている。
【００２５】
給水された水面Ｗ−１は、前記送風ファン３３の作動時に第１処理槽２７内が負圧域となることと、多数の臭気が泡となって水面Ｗ−１上へ上昇する時の条件と相俟って大きく波立つところから、その波立ちを抑える波立ち制止板４９が設けられている。
【００２６】
波立ち制止板４９は、多数の孔４９ａのあいたパンチングボードとなっている。特に、臭気を含めて腐食の要因となる硫化水素等は水に吸収されるようになるが、吸収されずに残った臭気等は多数の孔４９ａを介して上方の排気口３９へ向かうようになっている。
【００２７】
臭気取入口３７は、前記水面Ｗ−１より下方に位置し、前記発酵処理槽９の天井９ａから延長されたダクト５のダクト口となっていて、ダクト５を介して順次発生する臭気が送り込まれるようになっている。
【００２８】
排気口３９は、前記送風ファン３３へ続く連絡通路３１と接続連通している。排気口３９には、二重式のフィルタ装置３２が交換自在に装着され、第１処理槽２７内の水滴等が送風ファン３３へ向かうのを阻止するようになっている。
【００２９】
一方、第２処理槽２９は図２に示す如く連絡通路３１を介して前記第１処理槽２７と接続連通し、内部には脱臭剤となる活性炭５１が設けられている。活性炭５１は第２処理槽２９に設けられた開閉扉（図示していない）から交換可能となっていて、臭気が活性炭５１の通過時に脱臭処理され、処理された空気は排出管５３を介して大気中へ放出されるようになっている。
【００３０】
このように構成された脱臭装置３によれば、発酵処理槽９で発生した臭気は、送風ファン３３の作動で第１処理槽２７、第２処理槽２９を通過した後、大気中に放出される。この時、臭気は発酵物の中を通過しなくて済むため円滑な臭気の流れが得られるようになる。
【００３１】
この脱臭作動時において、発酵処理槽９で発生した臭気は第１処理槽２７の水面Ｗ−１下を通過する時に臭気中の腐食の要因となる硫化水素等は水に吸収される。と同時に水面Ｗ−１から上昇する時、臭気等は波立った水滴に付着吸収される二重作用の結果、送風ファン３３には腐食の要因となる臭気が直接あたることがなくなり、長期間にわたって送風ファン３３の安定した作動状態が得られる。
【００３２】
また、第１処理槽２７内の水は波立ち制止板４９によって排気口３９へ向かう大きな波立ちが抑えられると共に、水の冷却作用と内壁２７ａを冷却する冷却水２８と相俟って臭気が第１処理槽２７内を通過する時に冷却される気体冷却につながり、活性炭５１による吸着効率が向上する。
【００３３】
なお、本実施形態にあっては発酵処理槽９は１つの場合について説明したが複数配置された発酵処理槽であってもよい。
【図面の簡単な説明】
【００３４】
【図１】本発明にかかる脱臭装置の第１処理槽を示した概要切断面図。
【図２】本発明にかかる脱臭装置の第２処理槽を示した概要切断面図。
【図３】脱臭装置の概要平面図。
【図４】脱臭装置の概要正面図。
【図５】発酵処理槽の概要切断面図。
【図６】生ゴミ発酵処理装置と脱臭装置全体の概要平面図。
【符号の説明】
【００３５】
１    生ゴミ発酵処理装置
３    脱臭装置
５    ダクト
９    発酵処理槽
２７    第１処理槽
２９    第２処理槽
３１    連絡通路
３３    送風ファン
３７    第１連通口
３９    第２連通口
４９    波立ち制止板
５１    脱臭剤（活性炭）
Ｗ−１    水面
【図１】
2009066483.tif 000003
【図２】
2009066483.tif 000004
【図３】
2009066483.tif 000005
【図４】
2009066483.tif 000006
【図５】
2009066483.tif 000007
【図６】
2009066483.tif 000008